(57)【要約】      （修正有）【課題】インクを用いた画像を用紙に形成可能に構成されると共に用紙表面のインクの乾燥時間を算出可能に構成された画像形成装置において、用紙表面に画像を再び形成したり、用紙裏面に画像を形成したりする場合、インクによる汚れや、印刷に要する不必要な時間が生じないように、用紙表面の乾燥時間を適切に算出できる画像形成装置を提供する。【解決手段】用紙表面のインクの乾燥時間を、少なくとも装置固有の構造に対応して設定された補正係数を用いて算出して、用紙３に再び画像形成が可能な時期を推定する乾燥時間推定部と、乾燥時間推定部で推定された推定情報を報知する入力表示部とを備えて画像形成装置１を構成する。補正係数は、用紙表面に画像を再び形成する場合と用紙裏面に画像を形成する場合とに分けて設ける。【選択図】図１
2014168910.tif 000002
【特許請求の範囲】
【請求項１】
層状の複数枚のシートに対し一枚のシートに分離させる分離部材と、該分離部材で一枚に分離した前記シートにインクを用いた画像を形成する画像形成部と、前記分離部材と前記画像形成部とを少なくとも結ぶシート搬送路とを備えた画像形成装置において、
前記画像形成部によって前記画像が形成されたシート表面の前記インクの乾燥時間を、少なくとも装置固有の構造に対応して設定された補正係数を用いて算出し、当該シートに再び画像形成が可能な時期を推定する乾燥時間推定部と、
該乾燥時間推定部で推定された推定情報を報知する推定情報報知部と
を備え、
前記補正係数は、
前記シート表面に前記画像が形成されたシートに対し、前記シート表面に画像を再び形成する場合と、前記シート表面に前記画像が形成されたシートに対し、シート裏面に画像を形成する場合とに分けて設定されていること
を特徴とする画像形成装置。
【請求項２】
インクを用いた画像をシートに形成する画像形成装置において、
層状の複数枚のシートに対し一枚のシートに分離させる分離部材と、該分離部材で一枚に分離した前記シートにインクを用いた画像を形成する画像形成部と、前記分離部材と前記画像形成部とを少なくとも結ぶシート搬送路とを備えた第二画像形成装置固有の構造に対応して設定された補正係数を用いて算出し、前記第二画像形成装置で、当該シートに画像形成が可能な時期を推定する乾燥時間推定部と、
該乾燥時間推定部で推定された推定情報を報知する推定情報報知部と
を備え、
前記補正係数は、
前記シート表面に前記画像が形成されたシートに対し、前記シート表面に画像を再び形成する場合と、前記シート表面に前記画像が形成されたシートに対し、シート裏面に画像を形成する場合とに分けて設定されていること
を特徴とする画像形成装置。
【請求項３】
前記補正係数は、
前記シート搬送路が前記画像形成部に前記シートが達するまでに前記シートを反転させる形状であるか前記シートを反転させない形状であるかと、前記分離部材が前記シート表面側に配置されているか前記シート裏面側に配置されているかの夫々の組み合わせに対応して設定されていること
を特徴とする請求項１または２に記載の画像形成装置。
【請求項４】
前記補正係数は、前記分離部材の方式毎に対応して設定されていること
を特徴とする請求項１乃至３の何れか１項に記載の画像形成装置。
【請求項５】
前記分離部材が、移動中の前記層状の複数枚のシートに圧力を付与して、前記一枚のシート以外のシートが移動する力を抑制可能に、且つ、前記圧力を調整可能に構成された場合において、
前記圧力の調整レベル毎に第二の補正係数が設定されていると共に、前記第二の補正係数は、前記シート表面に前記画像が形成されたシートに対し、前記シート表面に画像を再び形成する場合と、前記シート表面に前記画像が形成されたシートに対し、シート裏面に画像を形成する場合とに分けて設定されていること
を特徴とする請求項１乃至４の何れか１項に記載の画像形成装置。
【請求項６】
前記分離部材は、前記シート幅内の任意の位置に設けられた場合において、
前記シートに前記画像を形成する際に、或る一定値以上の画像密度がある画像領域内に前記分離部材が位置している場合と位置していない場合とに分けて設定された前記第三の補正係数を備え、
前記第三の補正係数は、前記シート表面に前記画像が形成されたシートに対し、前記シート表面に画像を再び形成する場合と、前記シート表面に前記画像が形成されたシートに対し、シート裏面に画像を形成する場合とに対応して設定可能に構成されていること
を特徴とする請求項１乃至５の何れか１項に記載の画像形成装置。
【請求項７】
前記推定情報報知部は、前記シート表面に、または、試用のシートに、前記推定情報を印刷可能に構成されていること
を特徴とする請求項１乃至６の何れか１項に記載の画像形成装置。
【請求項８】
請求項７に記載の画像形成装置と、
前記推定情報報知部によって印刷された前記推定情報を読み取る読取部と、
前記読取部で読み取られた前記推定情報と現在時刻を照合して、画像形成が可能な時期に達したか否かを判断する時期判断部と、
該時期判断部が、画像形成が可能な時期に達していないと判断した場合に、画像形成が可能な時期に達するまで画像形成動作を停止する動作停止部と
を備えたことを特徴とする画像形成システム。
【発明の詳細な説明】
【技術分野】
【０００１】
本発明は、インクを用いてシートに画像を形成する画像形成装置、画像形成システムに関する。
【背景技術】
【０００２】
従来、インクを用いてシートに画像を形成する装置として、例えば、以下のものが挙げられる。
【０００３】
各記録担体に吐出されたインクが乾燥するまでの残り乾燥時間を算出する残り乾燥時間算出手段と、該算出した各記録担体の残り乾燥時間を表示する表示手段とを備えるプリンタシステム（例えば特許文献１参照）。
【０００４】
インクジェット記録装置において、蓄積管理する印刷ジョブの出力順を乾燥時間算出手段の結果に応じて、総乾燥時間が最小となるように制御する制御手段を有することを特徴とするインクジェット記録装置で、印字データとインクの乾燥特性からページ毎の乾燥終了時間を予測し、これを記録し、各ページに対応する乾燥終了時刻からすべてのページの乾燥終了時刻をもとめ、これを操作者に通知する通知手段を有するインクジェット記録装置（例えば特許文献２参照）。
【０００５】
印刷機の機種毎及び前記印刷機による印刷に用いるインクの種類毎に、インク使用量とインク乾燥時間との関係を記憶する記憶手段と、印刷データを取得すると共に、印刷に用いる印刷機の機種、当該印刷機による印刷に用いるインクの種類を含む、前記取得した印刷データに基づく印刷における印刷条件を取得する取得手段と、前記取得手段によって取得された印刷データに基づいて使用インク量を演算し、演算した使用インク量、前記取得手段によって取得された印刷条件及び前記記憶手段に記憶されているインク使用量とインク乾燥時間との関係に基づいて、前記取得された印刷データに基づく印刷におけるインク乾燥時間を推定する推定手段と、前記推定手段によって推定されたインク乾燥時間、或いは当該インク乾燥時間から求まる印刷時間又は印刷速度を出力する出力手段と、を含む印刷支援装置（例えば特許文献３参照）。
【０００６】
記録媒体情報（記録媒体の種類）及び環境情報（温度や湿度）を取得する情報取得手段と、画像形成条件（記録密度、記録速度、記録面積、色剤付着量など）を画像形成要素ごとに設定する画像形成条件設定手段と、前記情報取得手段により取得された前記記録媒体情報及び前記環境情報と前記画像形成条件設定手段により設定された前記画像形成条件とにより乾燥時間と全画像形成時間を算出する全画像形成時間算出手段と、を有し、これを表示する表示手段を有すると共に、品質水準と天秤にかけて調整出来るようにした（例えば特許文献４参照）。
【０００７】
印刷時の日付情報を取得する手段と、記録装置が設置された場所のロケーション情報を取得する手段と、前記取得した日付情報とロケーション情報とからインク乾燥時間を導出（画像形成に要するインク吐出量に応じて導出されるインク乾燥時間や、記録装置が設置される環境情報から導出）する手段と、前記導出したインク乾燥時間に基づいてインク乾燥処理を実行する手段とを有するインクジェット記録装置（例えば特許文献５参照）。
【０００８】
これら従来の装置は、記録媒体であるシートに形成したインクの画像の乾燥時間を主に着目したもので、印字データとインクの乾燥特性から乾燥終了時間を予測したり、記録媒体の種類、温度や湿度等からインクの乾燥時間を算出したりしている。
【０００９】
ところで、インクを用いた印刷分野において乾燥と言えば、一般的に、セット（一次乾燥）と乾燥（二次乾燥）とがある。
【００１０】
セット（一次乾燥）とは、インク乾燥の初期の段階で、完全には乾燥していないが、印刷物を重ねたり動かしたりしても、汚れない状態になることである。しかし、完全に乾燥をしている状態では無い為、印刷物を激しく動かしたり、振動を与えたり、あるいは強い力が加わると、インクが動いて汚れのトラブルを招く。
【００１１】
乾燥（二次乾燥）とは、顔料が固着されて強固なインク被膜を形成する状態になることである。換言すれば、インクの表面粘着性が無くなり、後加工に耐えられる状態になることである。
【発明の概要】
【発明が解決しようとする課題】
【００１２】
上述したように従来の装置は、印字データとインクの乾燥特性から乾燥終了時間を予測したり、記録媒体の種類、温度や湿度等からインクの乾燥時間を算出したりしているものの、以下の課題が生じる。
【００１３】
すなわち、この種の画像形成装置は、画像を形成したシートに対し、画像を再び形成する場合がある。
従来の装置は、排紙の際に不都合が生じない程度の乾燥時間、すなわち、インクの乾燥時間の算出がセット（一次乾燥）であるため、画像を形成したシートに対し、画像を再び形成すると、シート表面のインクが動いて汚れのトラブルを招く虞がある。
【００１４】
その一方で、この種の画像形成装置は、シート層から一枚ずつシートを分離する分離部材と、分離部材で一枚に分離したシートにインクを用いた画像を形成する画像形成部と、分離部材と画像形成部とを結ぶシート搬送路とを備えているのが一般的である。
【００１５】
しかも、その分離部材やシート搬送路等の構成も様々な種類があり一様ではない。
したがって、シート表面のインクが動き出す条件（インクの乾燥レベル）は、装置固有の構造によって異なる。
【００１６】
さらに、画像を形成したシートに対し、画像を再び形成する場合として、シート表面に画像を形成した後に、そのシート表面に再び画像を形成する場合と、シート表面に画像を形成した後にシート裏面に画像を形成する場合とがある。
【００１７】
したがって、シート表面のインクが動き出す条件（インクの乾燥レベル）は、装置固有の構造に加え、シートの後処理によっても異なる。なお、シートの後処理とは、上述したように用紙表面に画像を再び形成する場合や、用紙表面に画像を形成した後に用紙裏面に画像を形成する場合のことである。
【００１８】
このように、一口に乾燥時間と言っても、後処理の種類や、装置固有の構造により、求められる乾燥レベルが異なる。したがって、従来の装置は、従来の装置で上述した後処理を行なう場合、オペレータの作業経験に左右され、インクによる汚れの虞や、印刷に要する時間が、不必要にかかる虞がある、という課題がある。
【課題を解決するための手段】
【００１９】
上記課題を解決するために、本発明にかかる画像形成装置は、層状の複数枚のシートに対し一枚のシートに分離させる分離部材と、該分離部材で一枚に分離した前記シートにインクを用いた画像を形成する画像形成部と、前記分離部材と前記画像形成部とを少なくとも結ぶシート搬送路とを備えた画像形成装置において、前記画像形成部によって前記画像が形成されたシート表面の前記インクの乾燥時間を、少なくとも装置固有の構造に対応して設定された補正係数を用いて算出し、当該シートに再び画像形成が可能な時期を推定する乾燥時間推定部と、該乾燥時間推定部で推定された推定情報を報知する推定情報報知部とを備え、前記補正係数は、前記シート表面に前記画像が形成されたシートに対し、前記シート表面に画像を再び形成する場合と、前記シート表面に前記画像が形成されたシートに対し、シート裏面に画像を形成する場合とに分けて設定されていることを特徴とする。
【発明の効果】
【００２０】
本発明によれば、画像の形成をシート表面に数回行なう場合や、シートの裏面に画像を形成する場合、装置固有の構造に対応して夫々設定された補正係数を用いてインクの乾燥時間を算出するから、インクによる汚れの虞や、印刷に要する時間が不必要にかかる虞を払拭できる。
【図面の簡単な説明】
【００２１】
【図１】実施の形態１にかかる画像形成装置の機械的な構成を示した模式図である。
【図２】（１）実施の形態１にかかる画像形成装置の電気的な構成を示した説明図である。  （２）実施の形態１にかかる画像形成装置の機能構成図である。
【図３】装置固有の構造別と後処理の種類別に対応した補正係数の一覧を示した説明図（一覧表）である。
【図４】装置固有の構造別と後処理の種類別に対応した第二の補正係数の一覧を示した説明図（一覧表）である。
【図５】装置固有の構造別と後処理の種類別に対応した第三の補正係数の一覧を示した説明図（一覧表）である。
【図６】実施の形態２にかかる画像形成システムの機械的な構成を示した模式図である。
【図７】実施の形態２にかかる画像形成システムの機能構成図である。
【発明を実施するための形態】
【００２２】
本発明にかかる画像形成装置の実施の形態を説明する。
（実施の形態１）
実施の形態１にかかる画像形成装置を、図面を参照しながら説明する。図１は、実施の形態１にかかる画像形成装置の機械的な構成を示した模式図である。図２（１）は、電気的な構成を示した説明図である。図２（２）は、機能構成図である。図３は、装置固有の構造別と後処理の種類別に対応した補正係数の一覧を示した説明図（一覧表）である。図４は、装置固有の構造別と後処理の種類別に対応した第二の補正係数の一覧を示した説明図（一覧表）である。図５は、装置固有の構造別と後処理の種類別に対応した第三の補正係数の一覧を示した説明図（一覧表）である。
【００２３】
実施の形態１にかかる画像形成装置１は、給紙台２、シート搬送路３Ａ、ピックアップコロ４、分離コロ５、分離部材の一例としてのフリクションパッド６、レジストローラ７、画像形成部の一例としての印刷ドラム８、プレスローラ９、吸引ベルト１０、排紙台１１、推定情報報知部としてのインクジェット画像形成部１２、動作制御部１４を備える。
【００２４】
給紙台２は、シートの一例として用紙３を積み重ねておくもので、後述するピックアップコロ４の方向へ、積み重ねた用紙３の最上段の用紙３を押しつけるよう構成されている。
【００２５】
シート搬送路３Ａは、給紙台２から供給された用紙３を後述する排紙台１１へ排出可能に、印刷ドラム８を介して、フリクションパッド６と吸引ベルト１０とを結ぶように直線状に形成されている。
【００２６】
図１で例示したシート搬送路３Ａは、上述したように直線状に形成されているが、この種の画像形成装置１のシート搬送路３Ａは、分離部材から画像形成部へ向かう経路がＵターン状に形成されたものもある（図３（２）（４）参照）。この場合、用紙３の表裏が反転して搬送される。
【００２７】
ピックアップコロ４は、給紙台２の上方に回転駆動可能に設けられており、給紙台２上の最上段の用紙表面に接しながら回転することで、少なくとも、その最上段の用紙３を送り出すようになっている。
【００２８】
分離コロ５は、ピックアップコロ４に隣接し、且つ、用紙３における画像を形成する面（以下、画像面という）側に回転駆動可能に設けられており、ピックアップコロ４により送り出された用紙表面に接しながら回転することで、その用紙３をシート搬送路３Ａへ送り出すようになっている。
【００２９】
図１で例示した分離コロ５は、上述したように、用紙３における画像面側に設けられているが、この種の画像形成装置１の分離コロ５は、用紙３における画像面側と反対側に設けられているものもある（図３（１）（２）参照）。なお、用紙３における画像面側とは、用紙３の表裏面のうち、これから画像を形成する側の面のことである。
【００３０】
分離部材の一例としてのフリクションパッド６は、分離コロ５に対向するように、分離コロ５の下方に設けられた板状の摩擦部材からなる。このように板状の摩擦部材を利用した分離方式は、フリクションパッド方式（パッドブレーキ方式）と呼ばれる。
【００３１】
このフリクションパッド６は、給紙台２から送り出された移動中の層状の複数枚のシートに対し、分離コロ５側の用紙裏面に付いた用紙３に摩擦部材を所定の圧力（以下、分離圧という）で押し付けることで、その用紙３の移動を規制して、分離コロ５側の用紙３と、その用紙裏面に付いた用紙３とを分離する。換言すれば、このフリクションパッド６は、移動中の層状の複数枚のシートに対し一枚のシートに分離させる。
【００３２】
このフリクションパッド方式は、分離コロ５側の用紙裏面とその用紙裏面に付いた用紙表面との間、及び、その用紙裏面と分離部材との間にコスレが生じる。
【００３３】
図１で例示した分離部材であるフリクションパッド６は、用紙３における画像面側と反対側に設けられているが、この種の画像形成装置１の分離部材は、用紙３における画像面側に設けられているものもある（図３（１）（２）参照）。
【００３４】
さらに、上述したフリクションパッド方式の分離部材の他に、例えば以下のものがある。なお、これらの分離部材は、全て公知技術である。
【００３５】
リバースロ−ラ方式
フィードローラとそれに圧接した逆転するリバースローラで分離する方式。このリバースロ−ラ方式では、リバースロ−ラは常に逆転しているので、分離済みの１枚の用紙３が搬送される時には、「搬送速度＋リバース逆転速度」でコスレが生じる。
【００３６】
ローラーフリクション方式
トルクリミッタを利かせたローラ方式。トルクリミッタ以下のトルクしか作用しない時に、「搬送速度」でコスレが生じる。ただし、このローラーフリクション方式は、用紙３と摩擦部材の接触面積が小さい分、本技術的課題に対して有利に働く。
【００３７】
土手分離方式
用紙３の搬送方向下流に所定の角度を持たせた土手を設けて、給紙ローラの搬送力で、用紙３を土手の傾斜面に沿って突き当てて曲げることにより、一枚ずつ分離給送する方式。この土手分離方式は、圧は小さいが、分離後も接触してこすれる分、本技術的課題に対して不利に働く。
【００３８】
ゲートローラ方式
ピックアップコロ４によって給紙された用紙３を、クシ歯状のフィードローラとゲートローラのすき間（ギャップ）に通し、ゲートローラの抵抗力によって分離する方式。フィードローラ外周とゲートローラ外周をわずかにオーバラップさせ、抵抗力を調整する。（オ−バーラップ部に送り込まれた時に生じる変形反力を利用して重送を防止）。ニップ部での接触圧が小さい分、本技術的課題に対して有利に働く。
【００３９】
ＦＲＲ方式（リタードローラ方式、ＭＲＲ方式）
このＦＲＲ方式は、分離後は、連れ回りするので、本技術的課題に対して有利に働く。
【００４０】
コーナー爪分離方式、曲げ分離方式
この方式は、分離時のコスレは特に生じない。
【００４１】
分離無し（シート搬送路３Ａがスイッチバック反転させて再送する構成である場合）
分離動作不要なので、これに伴うコスレは生じない。
【００４２】
エアー分離方式
エアーを吹き付けて分離する方式。エアーを吹き付ける分で、乾燥しやすくなる。
【００４３】
このように様々な分離部材があるが、その分離部材の方式によってインク汚れの度合いが異なる。一般的には以下の関係になっている。
【００４４】
リバースローラ方式＞フリクションパッド方式＞ローラーフリクション方式＞土手分離方式＞ゲートローラ方式＞ＦＲＲ方式＞コーナー爪分離方式、曲げ分離方式＞分離無し（スイッチバック反転させて再送する場合）＞エアー分離方式。
【００４５】
レジストローラ７は、分離コロ５、分離部材の位置よりも用紙搬送方向の下流側に設けられた回転駆動可能な一対のローラである。この一対のレジストローラ７は、ローラ同士が接した領域であるニップに、分離コロ５により送り出された用紙３の先端を突き当てさせて、所定のたるみを作ることで、用紙３の斜行を補正する。そして、所定のタイミングで回転を開始して、後述する画像形成部に向けて用紙３を送り出すものである。
【００４６】
画像形成部としての印刷ドラム８は、回転駆動可能なドラム本体に、所望の画像を形成させる孔が形成された原版が巻き付けられている。そして、この印刷ドラム８は、ドラム本体の内部に注入されたインクを原版の孔から染み出させることで、送られてきた用紙３に画像を形成するものである。上述したインクは、例えば、エマルジョンインクが挙げられる。このエマルジョンインクの主な成分は、水と油と着色剤である。
【００４７】
プレスローラ９は、シート搬送路３Ａを挟んで印刷ドラム８に対向するように設けられており、用紙３を印刷ドラム８の方向へ押し付けるようになっている。
吸引ベルト１０は、吸引用の孔が形成された無端状のベルトであり、印刷ドラム８、プレスローラ９の位置よりも用紙搬送方向の下流側に、シート搬送路３Ａに沿って回転駆動可能な複数のローラに架け渡されている。この吸引ベルト１０は、その内方がバキュームポンプにより負圧にされることで、吸引用の孔を介して用紙３を吸着した状態で、その用紙３を搬送するようになっている。
【００４８】
排紙台１１は、吸引ベルト１０により搬送された画像形成済みの用紙３を積み重ねておくものである。
推定情報報知部としてのインクジェット画像形成部１２は、吸着ベルトの上方に設けられており、吸着ベルトに吸着された最終紙に対し、後述する推定情報を印刷するものである。なお、最終紙は、用紙表面に画像を形成するための通常の用紙３や、推定情報の印刷専用とした試用の用紙である。
【００４９】
印刷された状態の推定情報は、オペレータ（ヒト）が読める文字列でも良いし、バーコードのような光学的に読み取り可能なものでも良く、特に限定されない。
なお、本実施の形態の推定情報報知部は、インクジェット画像形成部１２としたが、このものに限定されず、例えば、推定情報を入力表示部１４ｄに表示させてもよい。
【００５０】
動作制御部１４は、当該画像形成装置１の各構成部の動作を制御して各機能を実現させるもので、図２に示すように、ＣＰＵ１４ａ、ＲＯＭ１４ｂ、ＲＡＭ１４ｃを備えて構成される。
【００５１】
実施の形態１にかかる画像形成装置１の一連の動作制御のためのプログラムコードは、ＲＯＭ１４ｂに格納されている。そのプログラムコードには、少なくとも装置固有の構造に対応して設定された補正係数を用いてインクの乾燥時間を算出するための算出式が含まれる。なお、補正係数、算出式の詳細は後述する。
【００５２】
この動作制御部１４は、そのプログラムコードをＲＡＭ１４ｃに展開し、各種センサから得られた情報等、制御に必要なデータをＲＡＭ１４ｃに記憶し、そのＲＡＭ１４ｃをワークエリアとして使用しながらプログラムコードに従って、ＣＰＵ１４ａが、各種負荷であるモータ、入力表示部１４ｄ、インクジェット画像形成部１２等の制御を行なう。
【００５３】
以上のように構成された実施の形態１にかかる画像形成装置１は、先ず、ピックアップコロ４が、給紙台２に積載された用紙３を、分離コロ５とフリクションパッド６に向けて送り出す。分離コロ５とフリクションパッド６は、送り出された用紙３を一枚に分離し、その分離した一枚の用紙３をレジストローラ７へ向けて送り出す。分離された一枚の用紙３は、一対のレジストローラ７に向けてほぼストレートに搬送される。
【００５４】
このとき、レジストローラ７は回転を停止しており、分離された一枚の用紙３の先端がレジストローラ７のニップに突き当たって用紙３の斜行が補正される。
そして、用紙３の斜行が補正された後、レジストローラ７は、所定のタイミングで回転を開始して印刷ドラム８に向けて用紙３を送り出す。送り出されたシートは、プレスローラ９により印刷ドラム８へ加圧されながら移動していく。
【００５５】
このとき、印刷ドラム８内のインクが、原版に設けられた孔（画像を形成する孔）から染み出てインクの画像が用紙３に形成される。
吸着ベルトは、画像形成済みの用紙３を吸着し、その画像形成済みの用紙３を排紙台１１の方へ搬送する。吸着ベルトは、排紙台１１の手前で吸着を解除して、画像形成済みの用紙３を排紙台１１に排出する。
【００５６】
なお、吸着ベルトの搬送速度または距離は、従来の算出式に基づいたインクの乾燥時間が得られるような搬送速度または距離になっており、用紙３上のインクは、吸着ベルトによる搬送の間、徐々に乾燥して、排紙台１１に排出された直後は、セット状態になっている。すなわち、画像形成済みの用紙３が排紙台１１に積み重なっても、上位の用紙裏面は、下位の用紙３のインクによる汚れの虞がない状態になっているものの、後処理での使用に耐えうる乾燥状態になっていない。
【００５７】
この状態で、用紙表面に画像を再び形成したり、用紙表面に画像を形成した後に用紙裏面に画像を形成したりすると、未乾燥のインクがフリクションパッド６を始めとした各構成部材との擦れによって生じる用紙３の汚れや、フリクションパッド６から分離コロ５へのインクの転写（あるいはその逆）の不具合等が発生してしまう。
【００５８】
もっとも、用紙表面に画像を再び形成する場合と、用紙表面に画像を形成した後に用紙裏面に画像を形成する場合とでは、用紙表面に求められるインクの乾燥レベルは装置固有の構造に応じて異なる。
【００５９】
すなわち、図１で例示した画像形成装置１は、上述した不具合の主たる発生源といえるフリクションパッド６は、シート搬送路３Ａを挟んで印刷ドラム８に対向した位置に設けられている。また、シート搬送路３Ａも印刷ドラム８に向かって直線状であり用紙３の表裏を反転する構成ではない。
【００６０】
したがって、用紙表面に画像を再び形成する場合、フリクションパッド６との接触する面は、インクの画像が形成されていない用紙裏面であり、フリクションパッド６による汚れの発生はない。
【００６１】
一方、用紙表面に画像を形成した後に用紙裏面に画像を形成する場合、フリクションパッド６との接触する面は、インクの画像が形成された用紙表面であり、フリクションパッド６による汚れが発生する。
【００６２】
このように、用紙表面のインクの乾燥レベルは装置固有の構造と、後処理の種類に応じて異なる。
そこで、実施の形態１にかかる画像形成装置１は、従来技術で考慮されていた、「周囲温湿度・紙種・インク種類・用紙搬送時間・画像内容（画像密度・画像位置）」に加えて、装置固有の構造別と後処理の種類別に対応した補正係数を乗じて、用紙表面のインクの乾燥時間を算出し、当該用紙３に再び画像形成が可能な時期を推定する乾燥時間推定部Ｆ１を設けている。
【００６３】
後処理の種類別、すなわち、用紙裏面に画像を形成するのか、用紙表面に画像を再び形成するのかは、オペレータが入力表示部１４ｄを介して入力設定する。
【００６４】
この乾燥時間推定部Ｆ１は、各種センサからの情報や、ＲＯＭ１４ｂ内に記録された補正係数や各種数値情報、プログラムコードに組み込まれた算出式等を用いて動作制御部１４によって実現する機能である。
【００６５】
実施の形態１にかかる乾燥時間推定部Ｆ１は、例えばセット状態となる乾燥時間を公知技術で算出し、その算出値に図３で示す補正係数を乗じることで、用紙表面のインク乾燥時間を得ている。
図１に例示した画像形成装置１の場合は、図３において太枠で示した補正係数のうち、オペレータが入力表示部１４ｄを介して入力設定した後処理の種類に対応した補正係数が設定される。なお、措置固有の構造に基づく設定は、オペレータによる設定ではなく、装置毎に固定されている。
【００６６】
補正係数とインク乾燥時間について具体的に説明すると、従来技術による算出式でセット時間Ｔ１を算出し、これに対し補正係数Ａを乗じて後処理が可能な乾燥時間Ｔ２を算出する。
【００６７】
用紙裏面に画像を形成する場合（裏面時）：
Ｔ２＝Ｔ１×Ａ＝Ｔ１×３．０
用紙表面に画像を再び形成する場合（合成時）：
Ｔ２＝Ｔ１×Ａ＝Ｔ１×２．０
この値は、「完全な乾燥」時間Ｔ３よりも短い。（Ｔ３＞Ｔ２）
【００６８】
このようにして算出された用紙表面のインク乾燥時間（補正済みの乾燥時間）は、排紙直後の日時と絡ませて推定情報となる。
この推定情報の例として、例えば排紙直後の日時が、２０１３年４月１日ＡＭ１０：００、用紙表面のインク乾燥時間Ｔ２が３０分の場合、２０１３年４月１日ＡＭ１０：３０という日時を推定情報とする。
【００６９】
この例は、図３において、分離部材の方式がフリクションパッド方式、分離部材の配置が画像面と反対側、シート搬送路３Ａが直線状の場合である。
例えば、分離部材の方式がフリクションパッド方式で、分離部材の配置が画像面側、シート搬送路３Ａが直線状の場合における、後処理別の補正係数は以下のとおりになる。
【００７０】
すなわち、用紙表面に画像を形成した後に用紙裏面に画像を形成する場合の補正係数は２．０、用紙表面に画像を再び形成する場合の補正係数は３．０となり、図１の画像形成装置１の後処理別の補正係数を逆にしたようなる。
【００７１】
これは、分離部材の配置が画像面側であることから、用紙表面に画像を再び形成する場合に、分離部材が既に形成した最初の画像を乱してしまう虞があるからである。又は、用紙裏面に画像を形成する場合は、分離部材が既に形成した最初の画像を乱してしまう虞が無いからである。
【００７２】
また、分離部材の方式がフリクションパッド方式、分離部材の配置が画像面側、シート搬送路３ＡがＵターン状の場合は、用紙表面に画像を形成した後に用紙裏面に画像を形成する場合の補正係数は２．０、用紙表面に画像を再び形成する場合の補正係数は３．０となる。
【００７３】
また、分離部材の方式がフリクションパッド方式、分離部材の配置が画像面と反対側、シート搬送路３ＡがＵターン状の場合は、用紙表面に画像を形成した後に用紙裏面に画像を形成する場合の補正係数は３．０、用紙表面に画像を再び形成する場合の補正係数は２．６となる。
【００７４】
この種の画像形成装置１は、図３に示すように、分離部材の配置、シート搬送路３Ａの構成、分離部材の方式といった装置固有の構造は様々である。補正係数は、これらの構造毎に対応し、且つ、後処理に対応した数値が採用される。
【００７５】
さらに、この種の画像形成装置１は、分離部材が、移動中の層状の複数枚の用紙３に分離圧を付与して、一枚の用紙３以外の用紙３が移動する力を抑制可能に、且つ、分離圧を調整可能に構成される場合もある。
【００７６】
このような場合は、分離圧の調整レベル毎（例えば、大、中、小の３段階の分離圧）に対応した第二の補正係数が設定される。この第二の補正係数は、小さい分離圧と比較して大きい分離圧のほうが、インクによる汚れが発生しすいため、大きい分離圧のほうがインクの乾燥時間を長めに設定している。
【００７７】
さらに、この第二の補正係数は、用紙表面に画像が形成された用紙３に対し、用紙表面に画像を再び形成する場合と、用紙表面に前記画像が形成された用紙３に対し、用紙裏面に画像を形成する場合とに分けて設定される（図４）。
【００７８】
後処理が可能な乾燥時間Ｔ２の算出は、従来技術による算出式で「セット」時間Ｔ１を算出し、これに対し補正係数Ａを乗じ、さらに、第二の補正係数Ｂを乗じて乾燥時間Ｔ２を算出する（Ｔ２＝Ｔ１×Ａ×Ｂ）。
例えば、図１に例示した画像形成装置１のフリクションパッド６が、バネなどで分離圧が３段階に調整可能な場合は、図４の太枠内の第二の補正係数が用いられる。
【００７９】
また、分離部材が、用紙３幅内の任意の位置に設けられた場合において、用紙３に画像を形成する際に、或る一定値以上の画像密度がある画像領域内（インクの量が一定値以上と予想される画像領域内）に分離部材が位置している場合と位置していない場合とに分けて設定された前記第三の補正係数を備えてもよい。
【００８０】
すなわち、或る一定値以上の画像密度がある画像領域内に分離部材が位置している場合と位置していない場合と比較すると、前者の方がインクによる汚れが発生しすいため、インクの乾燥時間を長めに設定している。
【００８１】
この場合、第三の補正係数は、用紙表面に画像が形成された用紙３に対し、用紙表面に画像を再び形成する場合と、用紙表面に画像が形成された用紙３に対し、用紙裏面に画像を形成する場合とに対応して設定可能に構成されている（図５）
【００８２】
図１で例示した画像形成装置１は、回転駆動可能なドラム本体に、所望の画像を形成させる孔が形成された原版を巻き付け、ドラム本体の内部に注入されたインクを原版の孔から染み出させることで、送られてきた用紙３に画像を形成する方式である。
【００８３】
したがって、用紙３の画像を形成する前に、或る一定値以上の画像密度がある画像領域がある程度判断可能である。
一方、分離部材の、用紙３の幅方向の配置は、装置固有の情報（既知の情報）である。
そこで、図１に例示した画像形成装置１の場合、用紙３に画像を形成する際にインクの量が一定値以上と予想される画像領域内に分離部材が位置しているか否かを、入力表示部１４ｄを介してオペレータによる入力可能に構成する。
【００８４】
後処理が可能な乾燥時間Ｔ２の算出は、従来技術による算出式で「セット」時間Ｔ１を算出し、これに対し補正係数Ａを乗じ、さらに、第三の補正係数Ｃを乗じて乾燥時間Ｔ２を算出する（Ｔ２＝Ｔ１×Ａ×Ｃ）。なお、分離部材による分離圧が調整可能な場合は、第二の補正係数Ｂも乗じる（Ｔ２＝Ｔ１×Ａ×Ｂ×Ｃ）。
例えば、図１に例示した画像形成装置１のフリクションパッド６が、用紙３の幅方向の中央に配置される場合は、図５の太枠内の第三の補正係数が用いられる。
【００８５】
なお、印刷原稿を印字データで取り扱う本方式の場合は、用紙３に画像を形成する際にインクの量が一定値以上と予想される画像領域を画像データから予め抽出する画像領域抽出部と、画像領域抽出部で抽出された画像領域情報と分離部材の位置情報を用いて、画像領域内に分離部材が位置しているか否かを判断する画像領域判断部を備えて、自動的に判断するように構成することが好ましい。
【００８６】
このようにして得られた推定情報は、インクジェット画像形成部１２によって、最終紙にのみ印刷される。これにより、推定情報が印刷された最終紙は、排紙台１１に層状に積み重ねられた最上位に位置する。オペレータは、最終紙に印刷された推定情報を確認し、排紙台１１に積載された用紙３を給紙台２にセットする。そして、オペレータは、インク乾燥時間が経過したことを確認したら所望する後処理を開始させる。なお、推定情報を、入力表示部１４ｄに表記してもよい。この場合、オペレータは、入力表示部１４ｄに表記した推定情報を確認する。
【００８７】
このように実施の形態１にかかる画像形成装置１によれば、画像の形成を用紙表面に再び行なう場合や、用紙３の裏面に画像を形成する場合、装置固有の構造に対応して夫々設定された補正係数を用いてインクの乾燥時間を算出するから、インクによる汚れの虞や、印刷に要する時間が不必要にかかる虞を払拭できる。
【００８８】
さらに、分離部材が、移動中の層状の複数枚の用紙３に分離圧を付与して、一枚の用紙３以外の用紙３が移動する力を抑制可能に、且つ、分離圧を調整可能に構成されている場合は、分離圧の調整レベル毎に対応した第二の補正係数を用いる。これにより、上述した効果を、より精度良く得ることができる。
【００８９】
さらに、分離部材が、用紙３幅内の任意の位置に設けられた場合において、用紙３に画像を形成する際に、或る一定値以上の画像密度がある画像領域内に分離部材が位置しているか否かに対応した第三の補正係数を用いる。これにより、上述した効果を、より精度良く得ることができる。
【００９０】
（実施の形態２）
次に実施の形態２にかかる画像形成システムの実施の形態を、図６、図７を参照ながら説明する。図６は、実施の形態２にかかる画像形成システムの機械的な構成を示した模式図である。図７は、機能構成図である。
【００９１】
上述した実施の形態１は、オペレータによるインク乾燥時間の経過確認を行なうものを例示したが、この実施の形態２にかかる画像形成システムは、オペレータによるインク乾燥時間の経過確認を廃した例である。
この実施の形態２にかかる画像形成システムは、実施の形態１にかかる画像形成装置１の構成に加え、読取部１３と、時期判断部Ｆ２と、動作停止部Ｆ３とを備える。
【００９２】
読取部１３は、推定情報報知部としてのインクジェット画像形成部１２によって最終紙に印刷された推定情報を光学的に読み取ってその情報を動作制御部１４に送信するもので、図６に示したように、給紙台２の上方で、ピックアップコロ４と分離コロ５との間に設けられている。例えば推定情報をバーコードで印刷した場合、読取部１３はバーコードリーダーとなる。
【００９３】
時期判断部Ｆ２は、動作制御部１４によって実現される機能であり、読取部１３で読み取られた推定情報と現在時刻を照合して、画像形成が可能な時期に達したか否かを判断する。なお、この種の画像形成装置１は時計機能を有しており、現在時刻の取得が可能になっている。
【００９４】
動作停止部Ｆ３は、動作制御部１４によって実現される機能であり、時期判断部Ｆ２が、画像形成が可能な時期に達していないと判断した場合に、画像形成が可能な時期に達するまで画像形成動作を停止する。画像形成が可能な時期に達していると判断した場合は、画像形成動作を開始する。
【００９５】
以上のように構成された実施の形態２にかかる画像形成システムは、実施の形態１と同様に、インクジェット画像形成部１２によって、最終紙にのみ印刷される。これにより、推定情報が印刷された最終紙は、排紙台１１に層状に積み重ねられた最上位に位置する。オペレータは、排紙台１１に積載された用紙３を給紙台２にセットし、所望する後処理を開始させる。
【００９６】
読取部１３は、最終紙に印刷された推定情報を光学的に読み取り、時期判断部Ｆ２は、その読取部１３で読み取られた推定情報と現在時刻を照合して、画像形成が可能な時期に達したか否かを判断する。
【００９７】
そして、動作停止部Ｆ３は、時期判断部Ｆ２が、画像形成が可能な時期に達していないと判断した場合に、画像形成が可能な時期に達するまで画像形成動作を停止する。画像形成が可能な時期に達していると判断した場合は、画像形成動作を開始する。
【００９８】
上述した例は、画像の形成を用紙表面に再び行なう場合であるが、用紙３の裏面に画像を形成する場合は、以下の技術的手段を採る。
試用の用紙に推定情報を出力する。紙台１１に積載された用紙３の束を逆さにして給紙台２にセットする。さらに、推定情報を出力した試用の用紙を読取部１３で読み取り可能に、給紙台２にセットした用紙３の束の上にセットする。
【００９９】
または、図６に示すように、給紙台２の下方に読取部１３ｂを設け、給紙台２にセットした用紙３の束の最下位である最終紙に印刷された推定情報を、その読取部１３ｂで読み取る。なお、給紙台２の上方と下方の夫々に読取部を設け、入力表示部１４ｄを介して、何れの読取部を用いるか、選択可能に構成してもよい。
【０１００】
この実施の形態２にかかる画像形成システムによれば、ヒューマンエラーを排除して、インクによる汚れの虞や、印刷に要する時間が不必要にかかる虞を確実に払拭できる。
【０１０１】
（実施の形態３）
上述した実施の形態１及び２は、推定情報を報知する画像形成装置と、用紙の後処理を行なう画像形成装置とが同じ場合のみを想定している。
この実施の形態３は、推定情報を報知する画像形成装置と、用紙の後処理を行なう画像形成装置とが基本的に異なる場合を想定した例である。
【０１０２】
すなわち、実施の形態３にかかる画像形成装置は、層状の複数枚のシートに対し一枚のシートに分離させる分離部材と、分離部材で一枚に分離したシートにインクを用いた画像を形成する画像形成部と、分離部材と画像形成部とを少なくとも結ぶシート搬送路とを備えた第二画像形成装置固有の構造に対応して設定された補正係数を用いて算出し、第二画像形成装置で、当該シートに画像形成が可能な時期を推定する乾燥時間推定部と、乾燥時間推定部で推定された推定情報を報知する推定情報報知部とを備える。
【０１０３】
そして、上述した補正係数は、シート表面に画像が形成されたシートに対し、シート表面に画像を再び形成する場合と、シート表面に画像が形成されたシートに対し、シート裏面に画像を形成する場合とに分けて設定される。
【０１０４】
このように、実施の形態３にかかる画像形成装置は、後処理が可能な乾燥時間を算出する際、後処理を行なう画像形成装置、すなわち、第二画像形成装置固有の構造と後処理の種類に基づいた補正係数を用いる以外、上述した実施の形態１、２と実質的に同じであるため、詳細な説明は省略する。
【０１０５】
なお、後処理を行なう第二画像形成装置が特定の装置ではない場合、実施の形態３にかかる画像形成装置を、入力表示部１４ｄを介して、第二画像形成装置に対応した補正係数を入力設定可能に構成したり、後処理を行なう個々の第二画像形成装置に対応した補正係数を予めＲＯＭ内に記録させておき、入力表示部１４ｄを介して、補正係数を選択可能に構成したりする。
この場合、推定情報を報知する画像形成装置が、第二画像形成装置の場合もあるとして、当該画像形成装置に対応した補正係数を入力しても良く、また、当該画像形成装置に対応した補正係数を予めＲＯＭ内に記録させておいても良い。
【０１０６】
また、実施の形態２で例示した、読取部１３、時期判断部Ｆ２、動作停止部Ｆ３は、後処理を行なう第二画像形成装置に設けて、その第二画像形成装置と、推定情報報知部を備えた画像形成装置とで画像形成システムを構築してもよい。
【０１０７】
この実施の形態３にかかる画像形成装置によれば、上述した実施の形態の効果に加え、利便性の向上が期待できる。
【０１０８】
以上、本実施の形態にかかる画像形成装置を説明したが、上述した実施の形態は、本発明の好適な実施の形態の一例を示すものであり、本発明はそれに限定されるものではなく、種々変形実施が可能である。
【符号の説明】
【０１０９】
１  画像形成装置
２  給紙台
３  用紙
３Ａ  シート搬送路
４  ピックアップコロ
５  分離コロ
６  フリクションパッド（分離部材）
７  レジストローラ
８  印刷ドラム（画像形成部）
９  プレスローラ
１０  吸引ベルト
１１  排紙台
１２  インクジェット画像形成部（推定情報報知部）
１３  読取部
１４  動作制御部
Ｆ１  乾燥時間推定部
Ｆ２  時期判断部
Ｆ３  動作停止部
Ｔ２  後処理が可能な乾燥時間
Ｔ１  セット時間
Ａ  補正係数
Ｂ  第二の補正係数
Ｃ  第三の補正係数
【先行技術文献】
【特許文献】
【０１１０】
【特許文献１】特許第３７０８０１８号公報
【特許文献２】特開２００７−２９６７０２号公報
【特許文献３】特開２００７−２１９０５号公報
【特許文献４】特開２０１０−１７３３０６号公報
【特許文献５】特開２００６−１６８０１４号公報
【図１】
2014168910.tif 000003
【図２】
2014168910.tif 000004
【図３】
2014168910.tif 000005
【図４】
2014168910.tif 000006
【図５】
2014168910.tif 000007
【図６】
2014168910.tif 000008
【図７】
2014168910.tif 000009